(57)【特許請求の範囲】
【請求項１】
キャビネットに収容された外部接続端子が、上記キャビネットの背面パネルに形成された貫通孔部に挿通されてその背面パネルの外側に突出されるように構成されている外部接続端子の取付部構造において、
上記外部接続端子が上記貫通孔部に挿通されている状態での、上記外部接続端子と上記貫通孔部との間の第１方向の隙間が、上記外部接続端子と上記貫通孔部との間の、上記第１方向に直交する第２方向の隙間よりも大きく形成されており、
上記貫通孔部の上記第２方向での開口幅は、第２方向に傾き変位した外部接続端子を当該貫通孔部の孔縁が受け止めて、その外部接続端子の許容範囲を越える傾き変形による破損を阻止し得るサイズを有していることを特徴とする外部接続端子の取付部構造。
【請求項２】
上記貫通孔部の基本形状が円形であり、
上記背面パネルの内面側に、上記第２方向で対向する板片状の遮蔽片を一体に形成することによって、それらの遮蔽片の平行な先端縁の相互間空間を当該貫通孔部の空間の一部として具備させ、かつ、それらの遮蔽片の先端縁を上記貫通孔部の孔縁の一部に含ませてあると共に、それらの遮蔽片の先端縁同士の第２方向での相互間隔が、第２方向に傾き変位した外部接続端子を当該遮蔽片の先端縁が受け止めて、その外部接続端子の許容範囲を越える傾き変形による破損を阻止し得るサイズに定められている請求項１に記載した外部接続端子の取付部構造。
【請求項３】
上記キャビネットが、据置き型薄型液晶テレビジョン受像機のキャビネットであり、上記外部接続端子が、アンテナ入力端子であり、上記第２方向が上記キャビネットの長手方向となるように、上記貫通孔部が形成されている請求項１又は請求項２に記載した外部接続端子の取付部構造。
【発明の詳細な説明】
【技術分野】
【０００１】
本発明は、薄型液晶テレビジョン受像機のアンテナ入力端子などの外部接続端子の取付部構造、特に、キャビネットの背面パネルに形成されている貫通孔部からその外側に突出されている外部接続端子に無理な負荷が加わって破損する、という事態を未然に防止する対策が講じられている外部接続端子の取付部構造に関する。
【背景技術】
【０００２】
図５は外部接続端子３１を有する薄型液晶テレビジョン受像機を背面側から見て示した概略斜視図、図６は同薄型液晶テレビジョン受像機のキャビネット１０の組立工程を示した説明図、図７は外部接続端子３１としてのアンテナ入力端子を有するチューナ３０の概略斜視図である。
【０００３】
図５に例示した薄型液晶テレビジョン受像機は、そのキャビネット１０が額縁形の前面パネル１１と背面パネル１２とを閉じ合わせることによって構成されていて、そのキャビネット１０に収容されている液晶モジュールの表示部（不図示）が前面パネル１１の前方に向けて露出している。また、背面パネル１２には円形の貫通孔部２０が形成されていて、上記した液晶モジュールの制御基板４０（図６参照）に搭載されている外部接続端子３１が、上記貫通孔部２０に挿通されて背面パネル１２の外側に突出している。外部接続端子３１には、図７に示したチューナ３０の円柱形状のアンテナ入力端子が相当していて、上記貫通孔部２０に対する外部接続端子３１の挿通箇所では、両者を同心状に位置させ、しかも、背面パネル１２の外面を、貫通孔部２０の周囲でフラットな平面に形成しておくことによって外観のシンプル性を演出している。なお、図５において、１００はスタンドであり、このスタンド１００が組み付けられた薄型液晶テレビジョン受像機は据置き型薄型液晶テレビジョン受像機に分類される。
【０００４】
キャビネット１０は、図６に説明的に示した閉合工程を行うことによって容易かつ正確に組み立てることが可能である。同図の組立工程では、外部接続端子３１が設置されている前面パネル１１の一端縁１３に背面パネル１２の一端縁１４を突き当てた状態で背面パネル１２を矢印Ｒのように回動させる操作が行われる。そして、この回動操作を通じて、背面パネル１２の他端縁（不図示）が前面パネル１１の他端縁（不図示）に閉じ合わされる。
【０００５】
このため、上記の閉合工程で背面パネル１２や外部接続端子が破損しないようにするためには、貫通孔部２０の孔縁が外部接続端子の頂部に干渉しないようになっていることが要求される。そこで、背面パネル１２の貫通孔部２０を上記のように円形の孔部によって形成してある場合には、円形の貫通孔部２０のサイズ（内周直径寸法）を、外部接続端子３１の外周直径の割に長くしてある。このことを図８を参照して次に説明する。
【０００６】
図８は、背面パネル１２の貫通孔部２０に対する外部接続端子３１の挿通箇所を示した正面図である。同図には、貫通孔部２０の内周直径寸法をＤ、外部接続端子３１の外周直径寸法をＤ１で示してある。そして、上記のように貫通孔部２０の内周直径寸法Ｄが外部接続端子３１の外周直径寸法Ｄ１の割に長くなっていて、両者が同心配置されているとすると、貫通孔部２０の孔縁２１と外部接続端子３１との間には、外部接続端子３１の全周囲に比較的長い寸法Ｃの隙間７０が形成されることになる。そのため、その隙間７０を通してキャビネット１０（図５参照）の内部が見えてしまう。その結果、背面パネル１２の内側に、液晶モジュールの制御基板４０や、チューナ３０を覆っているシールド板５０が収容されているような場合には、図８のように、上記隙間７０を通して見える制御基板４０やシールド板５０の一部が目立って見苦しくなり、キャビネット１０の外観品位が損なわれるという事態が生じる。
【０００７】
また、上記隙間７０が広く開いていると、貫通孔部２０から背面パネル１２の外側に突出している外部接続端子３１に無理な横倒し負荷が加わったときに、外部接続端子３１がその隙間７０の中で、許容範囲を越えて傾き変形して破損してしまうという事態の起こるおそれがある。外部接続端子３１に加えられる横倒し負荷は、外部接続端子３１に図５に仮想線で示したプラグなどの相手方端子６０を嵌脱させて着脱するときや、外部接続端子３１に接続した相手方端子６０から延び出ている信号コード６１にユーザの足が引掛かってその信号コード６１が引張られたようなときに発生する。
【０００８】
そこで、図９に示した外部接続端子の取付部構造が提案された。同図の取付部構造では、背面パネル１２の外面側に一体に、貫通孔部２０を挟む対称位置に補強リブ６５，６５を突出させている。この取付部構造によると、外部接続端子３１に相手方端子６０を嵌脱するときに、相手方端子６０がいずれかの補強リブ６５に当接してその相手方端子６０の変位幅が少ない範囲内に抑えられる。そのため、外部接続端子３１が、上記した隙間７０（図８参照）の中で、許容範囲を越えて傾き変形するという事態が起こりにくくなり、傾き変形による外部接続端子３１の破損が起こりにくくなる。
【０００９】
図９を参照して説明した取付部構造では、傾き変形による外部接続端子３１の破損が起こりにくくなるということが云えるけれども、相手方端子６０が外部接続端子３１に接続されていないときには、図８を参照して説明したところと同様に、上記した隙間７０を通して制御基板やシールド板が見え、それらが目立ってキャビネット１０の外観品位が損なわれる、という事態が改善されるものではない。また、外観的には、背面パネル１２から補強リブ６５が突出していることが、外観のシンプル性を阻害してキャビネットの外観品位を低下させることにつながるおそれがある。
【００１０】
一方、図１０に示した外部接続端子の取付部構造も提案された。この取付部構造では、背面パネル１２の円形の貫通孔部２０の内周直径寸法Ｄを短くして外部接続端子３１の外周直径寸法Ｄ１に近付けることにより、外部接続端子３１の全周囲の隙間７０を狭くしている。そして、隙間７０の広さ（寸法Ｃ）が、傾き変位した外部接続端子３１を貫通孔部２０の孔縁２１が受け止めて、その外部接続端子３１の許容範囲を越える傾き変形による破損を阻止し得る寸法になっている。
【００１１】
図１０の取付部構造によると、背面パネル１２の外面側に、図９に示した補強リブ６５が存在しないので、背面パネル１２の外観のシンプル性が演出され、しかも、隙間７０が狭いためにキャビネットの内部の制御基板４０やシールド板５０の一部（図８参照）が見えなくなり、それらが目立つことによりキャビネット１０の外観品位が損なわれる、という事態も生じない。
【００１２】
しかしながら、図１０の取付部構造では、背面パネル１２の円形の貫通孔部２０の内周直径Ｄを短くして外部接続端子３１の外周直径寸法Ｄ１に近付けることによって、外部接続端子３１の全周囲の隙間７０を狭くしているので、図６を参照して説明した組立工程を採用することができないという問題がある。すなわち、図１０のように隙間７０が狭くなっていると、キャビネット組立時の閉合工程で、図１１に例示したように貫通孔部２０の孔縁２１が外部接続端子３１の頂部に干渉するという事態が起こりやすくなる。そして、そのような干渉が起こると、場合によっては、背面パネル１２や外部接続端子３１、ひいてはチューナ３０が破損するという事態が引き起こされてしまう。
【００１３】
他方、テレビジョン受像機の分野では、図９や図１０を参照して説明したものと同様の取付部構造が周知あるいは公知である（たとえば、特許文献１参照）。
【００１４】
また、薄型テレビジョン受像機からチューナのアンテナ入力端子を突出させること、そのアンテナ入力端子が高温になることを回避するために、シールド部の平板部に設けた複数箇所の突起によって、アンテナ入力端子に設けた台座部を支えること、なども提案されている（たとえば、特許文献２参照）。
【先行技術文献】
【特許文献】
【００１５】
【特許文献１】特開２０１１−２９８２５号公報
【特許文献２】特開２０１１−１８８２０号公報
【発明の概要】
【発明が解決しようとする課題】
【００１６】
本発明は、以上の問題や状況に鑑みてなされたものである。すなわち、本発明は、キャビネット組立時の閉合工程で、背面パネルに形成されている貫通孔部の孔縁が外部接続端子の頂部に干渉するという事態を回避しつつ、外部接続端子に接続した相手方端子から延び出ている信号コードにユーザの足が引掛かったりしたような場合でも、外部接続端子に加わる横倒し負荷によってその外部接続端子が破損するという事態を抑制することが可能であり、併せて、相手方端子が外部接続端子に接続されていないときでも、貫通孔部の孔縁と外部接続端子との相互間の隙間からキャビネットの内部が見えて、キャビネットの外観品位が損なわれるという事態を改善することができ、しかも、背面パネルの外観のシンプル性を演出することが容易な外部接続端子の取付部構造を提供することを目的とする。
【課題を解決するための手段】
【００１７】
本発明に係る外部接続端子の取付部構造は、外部接続端子が貫通孔部に挿通されている状態での、外部接続端子と貫通孔部との間の第１方向の隙間が、外部接続端子と貫通孔部との間の、第１方向に直交する第２方向の隙間よりも大きく形成されており、貫通孔部の第２方向での開口幅は、第２方向に傾き変位した外部接続端子を当該貫通孔部の孔縁が受け止めて、その外部接続端子の許容範囲を越える傾き変形による破損を阻止し得るサイズを有している。
【００１８】
そして、貫通孔部の第２方向での開口幅は、第２方向に傾き変位した外部接続端子を当該貫通孔部の孔縁が受け止めて、その外部接続端子の許容範囲を越える傾き変形による破損を阻止し得るサイズを有している。
【００１９】
外部接続端子の取付部構造が上記のように構成されていると、背面パネルの貫通孔部に挿通されている外部接続端子が第２方向に傾き変形しても、外部接続端子の許容範囲を越える傾き変形による破損が発生するよりも前に、外部接続端子が貫通孔部の孔縁によって受け止められて、その破損が未然に防止される。
【００２０】
また、外部接続端子と貫通孔部の辺縁との第２方向での隙間の広さが、第１方向での隙間の広さよりも狭くなっているため、貫通孔部の辺縁と外部接続端子との相互間の隙間からキャビネットの内部が見えて、キャビネットの外観品位が損なわれるという事態が改善される。
【００２１】
本発明では、上記貫通孔部の基本形状が円形であり、上記背面パネルの内面側に、上記第２方向で対向する板片状の遮蔽片を一体に形成することによって、それらの遮蔽片の平行な先端縁の相互間空間を当該貫通孔部の空間の一部として具備させ、かつ、それらの遮蔽片の先端縁を上記貫通孔部の孔縁の一部に含ませてあると共に、それらの遮蔽片の先端縁同士の第２方向での相互間隔が、第２方向に傾き変位した外部接続端子を当該遮蔽片の先端縁が受け止めて、その外部接続端子の許容範囲を越える傾き変形による破損を阻止し得るサイズに定められている、という構成を採用することが望ましい。
【００２２】
この構成であれば、外部接続端子の傾き変形を破損を生じない範囲内に規制している遮蔽片が背面パネルの内面側に形成されていることにより、背面パネルの外側からはその遮蔽片が見えにくくなる。そのため、背面パネルに形成されている貫通孔部が見掛け上は円形になり、そのことが、背面パネルの外観のシンプル性を演出することに役立つ。言い換えると、背面パネルの外側から見える貫通孔部の形状が非円形になって外観上の違和感を生じる、という事態を回避することが可能になる。
【００２３】
本発明では、上記キャビネットが、据置き型薄型液晶テレビジョン受像機のキャビネットであり、上記外部接続端子が、アンテナ入力端子である、という構成を採用することが可能である。この構成において、背面パネルの貫通孔部から突出しているアンテナ入力端子に相手方端子を接続して信号コードを床面上に引き廻してあるように状況下では、信号コードにユーザの足が引掛かったりした場合には、外部接続端子に加わる負荷でその外部接続端子が第２方向に傾き変形を起こしやすい。しかし、そのような第２方向での外部接続端子の傾き変形は、貫通孔部の孔縁が外部接続端子を受け止めることによって、外部接続端子が破損することのない許容範囲に規制される。したがって、外部接続端子が、その傾き変形によって破損してしまうという事態が未然に防止される。
【発明の効果】
【００２５】
以上のように、本発明に係る外部接続端子の取付部構造によれば、第２方向での貫通孔部の開口幅を、第２方向に傾き変位した外部接続端子を貫通孔部の孔縁が受け止めて、その外部接続端子の許容範囲を越える傾き変形による破損を阻止し得るサイズに規定してあるので、外部接続端子に加わる横倒し負荷によってその外部接続端子が破損するという事態が抑制され、しかも、貫通孔部の孔縁と外部接続端子との相互間の隙間からキャビネットの内部が見えて、キャビネットの外観品位が損なわれるという事態が改善される。さらに、背面パネルの外観のシンプル性を演出することも容易になる。
【図面の簡単な説明】
【００２６】
【図１】本発明の実施形態に係る外部接続端子の取付部構造の概略斜視図である。
【図２】同取付部構造の正面図である。
【図３】図２のＩＩＩ−ＩＩＩ線に沿う断面図である。
【図４】変形例による外部接続端子の取付部構造の概略斜視図である。
【図５】外部接続端子を有する薄型液晶テレビジョン受像機を背面側から見て示した概略斜視図である。
【図６】薄型液晶テレビジョン受像機のキャビネットの組立工程を示した説明図である。
【図７】外部接続端子としてのアンテナ入力端子を有するチューナの概略斜視図である。
【図８】従来例による背面パネルの貫通孔部に対する外部接続端子の挿通箇所を示した正面図である。
【図９】他の従来例による外部接続端子の取付部構造の概略斜視図である。
【図１０】さらに他の従来例による外部接続端子の取付部構造の正面図である。
【図１１】キャビネット組立時の閉合工程の説明図である。
【発明を実施するための形態】
【００２７】
この実施形態に係る外部接続端子の取付部構造は、図５を参照して説明した薄型液晶テレビジョン受像機に適用されている。すなわち、額縁形の前面パネル１１と背面パネル１２とを閉じ合わせることによって構成されているキャビネット１０に収容されている液晶モジュールの表示部（不図示）が前面パネル１１の前方に向けて露出し、背面パネル１２に形成されている貫通孔部２０に外部接続端子３１が挿通されて背面パネル１２の外側に突出している。外部接続端子３１には、図７に示したチューナ３０の円柱形状のアンテナ入力端子が相当している。
【００２８】
また、キャビネット１０は、図６に説明的に示した閉合工程を行うことによって組み立てられている。この閉合工程は、上記した液晶モジュールと共に外部接続端子３１が設置されている前面パネル１１の一端縁（上端縁）１３に背面パネル１２の一端縁（上端縁）１４を突き当てた状態で、背面パネル１２を矢印Ｒのように回動させる工程である。この回動操作を通じて、背面パネル１２の他端縁（下端縁）が前面パネル１１の他端縁（下端縁）に閉じ合わされる。
【００２９】
以下の説明では、上記閉合工程での背面パネル１２の回動支点となる前面パネル１１の一端縁１３と背面パネル１２の一端縁１４との突合せ箇所Ａ（図６参照）に対する遠近方向を第１方向と規定し、その第１方向に直交する方向を第２方向と規定する。そして、第１方向を符号Ｔで示し、第２方向を符号Ｗで示す。図５に示したように、第１方向Ｔは据置き型薄型液晶テレビジョン受像機の高さ方向に相当し、第２方向Ｗは据置き型薄型液晶テレビジョン受像機の横幅方向に相当している。
【００３０】
図１はこの実施形態に係る外部接続端子の取付部構造の概略斜視図、図２は同取付部構造の正面図、図３は図２のＩＩＩ−ＩＩＩ線に沿う断面図である。
【００３１】
図１〜図３のように、背面パネル１２に形成されている貫通孔部２０は、その背面パネル２０の外面２２及び内面２３で円形を形作っていて、その孔壁面２４は円筒面を形作っている。そして、そのような円形の基本形状を有する貫通孔部２０と、その貫通孔部２０を挿通して背面パネル１２の外側に突出している円柱状の外部接続端子３１と、が同心状に位置している。以上説明した構成は、図８を参照して説明した取付部構造の構成と同様である。したがって、外部接続端子３１の背面パネル１２からの突出部に、図５に仮想線で示したように相手方端子６０が外嵌状態で接続される。
【００３２】
この実施形態では、図２又は図３のように、背面パネル１２の内面２３側に、上記した第２方向Ｗで相対向する一対の板片状の遮蔽片２５，２５を、背面パネル１２と一体に合成樹脂で形成してある。これらの遮蔽片２５，２５は、その先端縁２６，２６が第１方向Ｔにまっすぐに延びている。一対の遮蔽片２５，２５の先端縁２６，２６同士は、互いに平行になっていて、しかも、上記した基本形状が円形である貫通孔部２０の円形の孔縁２１よりもその貫通孔部２０の中心側に向かって張り出している。そして、それらの遮蔽片２５，２５の先端縁２６，２６の相互間空間を貫通孔部２０の空間の一部として具備させてある。
【００３３】
貫通孔部２０が上記のように構成されていると、図２のように、貫通孔部２０の第１方向Ｔでの最大開口幅、すなわち貫通孔部２０の中心を通る第１方向Ｔでの直径寸法Ｄが、第２方向Ｗの最大開口幅、すなわち一対の遮蔽片２５，２５の先端縁２６，２６の間隔寸法Ｌよりも長くなっている。また、貫通孔部２０の第１方向Ｔでの開口幅、言い換えると、貫通孔部２０の第２方向Ｗの任意位置における第１方向Ｔの開口幅は、上記した閉合工程で、貫通孔部２０の孔縁２１が前面パネル１２側に設置されている外部接続端子３１の頂部に干渉しないサイズ（寸法）を有している。すなわち、上記した閉合工程では、外部接続端子２１が、貫通孔部２０の孔縁２１に干渉することなく、一対の遮蔽片２０，２５の相互間に挿通される。これに対し、第２方向Ｗでの開口幅、言い換えると、貫通孔部２０の第１方向Ｔでの任意の位置についての第２方向Ｗの開口幅は、第２方向Ｗに傾き変位した外部接続端子３１を貫通孔部２０の孔縁、具体的には第２方向Ｗで対向している一対の遮蔽片２５，２５のいずれかの先端縁２６，２６が受け止めて、外部接続端子３１の許容範囲を越える傾き変形による破損を阻止し得るサイズ（寸法）を有している。
【００３４】
図２によって判るように、貫通孔部２０とその貫通孔部２０に挿通されて同心状に位置している外部接続端子３１との間には、第１方向Ｔにおいて比較的広い寸法Ｃの隙間７０が形成されていのに対し、第２方向Ｗで形成されている隙間７１は、第１方向Ｔでの隙間７０に比べて狭くなる。図２及び図３には隙間７１の最も狭い箇所の寸法を符号Ｓで示してある。
【００３５】
この実施形態による外部接続端子の取付部構造によると、背面パネル１２の貫通孔部２０に挿通されている外部接続端子３１が第２方向Ｗに傾き変形しても、外部接続端子３１の許容範囲を越える傾き変形による破損が発生するよりも前に、外部接続端子３１が一対の遮蔽片２５，２５のいずれかの先端縁２６によって受け止められる。そのため、外部接続端子３１が、許容範囲を越える傾き変形によって破損するという事態が未然に防止される。なお、この実施形態では、遮蔽片２５，２５の先端縁２６，２６の相互間空間を貫通孔部２０の空間の一部として具備させてあることにより、遮蔽片２５，２５の先端縁２６，２６は、貫通孔部２０の孔縁２１の一部を形成している。
【００３６】
また、貫通孔部２０の第１方向Ｔでの最大開口幅（貫通孔部２０の内周直径寸法Ｄ）が、貫通孔部２０の第２方向Ｗでの最大開口幅（一対の遮蔽片２５，２５の先端縁２６，２６の間隔寸法Ｌ）よりも長くなっていて、しかも、第１方向Ｔでの開口幅は、キャビネット組立工程に含まれる上記閉合工程で、貫通孔部２０の孔縁２１が外部接続端子３１の頂部に干渉しないサイズを有しているので、その閉合工程で外部接続端子３１の頂部と貫通孔部２０の孔縁２１とが干渉してそれらが破損したりする事態は起こり得ない。
【００３７】
さらに、図９に示したような背面パネル１２から突出する補強リブ６５を有していないので、背面パネル１２の外観のシンプル性を演出することが容易である。
【００３８】
また、外部接続端子３１と貫通孔部２０の孔縁２１との第２方向Ｗでの隙間７１の広さが、第１方向Ｔでの隙間７０の広さよりも狭くなっている。そのため、貫通孔部２０の孔縁２１と外部接続端子３１との相互間の隙間からキャビネットの内部の制御基板４０やシールド板５０の一部が見えにくくなるので、それらが目立つことによりキャビネット１０の外観品位が損なわれる、という事態も生じない。
【００３９】
特に、この実施形態では、外部接続端子３１の傾き変形を破損を生じない範囲内に規制している遮蔽片２５，２５が、背面パネル１２の内面側に板片状に形成されていることにより、それらの遮蔽片２５が貫通孔部２０の奥部に入り込んだ箇所に位置している。そのため、背面パネル１２の外側からはそれらの遮蔽片２５，２５が見えにくくなって、貫通孔部２０が見掛け上は円形になる。したがって、背面パネル２０に外観のシンプル性が容易に付与される。
【００４０】
図４は変形例による外部接続端子の取付部構造の概略斜視図である。この変形例では、貫通孔部２０を小判形に形成することによって、第１方向Ｔでの最大開口幅が、第２方向Ｗの最大開口幅よりも長く形成されている。また、第１方向Ｔでの開口幅は、上記した閉合工程で、貫通孔部２０の孔縁２１が前面パネル側に設置されている外部接続端子３１の頂部に干渉しないサイズを有しているのに対し、第２方向Ｗでの開口幅は、第２方向Ｗに傾き変位した外部接続端子３１を貫通孔部２０の孔縁２１が受け止めて、その外部接続端子の許容範囲を越える傾き変形による破損を阻止し得るサイズを有している。この変形例の構成は、円形の貫通孔部の開口幅を、第２方向Ｗにおいて短くした構成に相当している。
【００４１】
この変形例による構成を採用することによっても、第２方向Ｗに傾き変位した外部接続端子３１を貫通孔部２０の孔縁２１が受け止めて、外部接続端子３１の許容範囲を越える傾き変形による破損を阻止し得る。また、貫通孔部２０の第１方向Ｔでの最大開口幅が、貫通孔部２０の第２方向Ｗでの最大開口幅よりも長くなっていて、第１方向Ｔでの開口幅は、キャビネット組立工程に含まれる上記閉合工程で、貫通孔部２０の孔縁２１が外部接続端子３１の頂部に干渉しないサイズを有しているので、その閉合工程で外部接続端子３１の頂部と貫通孔部２０の孔縁２１とが干渉してそれらが破損したりする事態は起こり得ない。図９に示したような背面パネル１２から突出する補強リブ６５を有していないので、背面パネル１２の外観のシンプル性を演出することが容易である。貫通孔部２０の孔縁２１と外部接続端子３１との相互間の隙間からキャビネットの内部が見えにくくなるので、キャビネットの内部が見えてキャビネットの外観品位が損なわれるという事態が改善される。
【００４２】
以上説明した実施形態及び変形例は、据置き型薄型液晶テレビジョン受像機に適用されている。このため、背面パネル１２の貫通孔部２０から突出している外部接続端子３１としてのアンテナ入力端子に相手方端子を接続して信号コードを床面上に引き廻してあるように状況下において、信号コードにユーザの足が引掛かったりしてアンテナ入力端子が第２方向Ｗに傾き変形を起こしても、貫通孔部２０の孔縁２１（遮蔽片２５の先端縁２６を含む）がアンテナ入力端子を受け止めることによって、アンテナ入力端子の傾き変形幅は、アンテナ入力端子３１が破損することのない許容範囲に規制される。したがって、アンテナ入力端子がその傾き変形によって破損してしまうという事態が未然に防止される。
【００４３】
本発明に係る外部接続端子の取付部構造は、上記したチューナのアンテナ入力端子の取付部構造に限定されない。たとえば、背面パネルの貫通孔部に挿通されてその外側に突出する円柱状のジャックの取付部構造にも同様に適用することが可能である。
【符号の説明】
【００４４】
１０  キャビネット
１２  背面パネル
１３  前面パネルの一端縁
１４  背面パネルの一端縁
２０  貫通孔部
２１  貫通孔部の孔縁
２５  遮蔽片
２６  遮蔽片の先端縁（貫通孔部の孔縁）
３１  外部接続端子（アンテナ入力端子）
６０  相手方端子
Ａ  前面パネルの一端縁と背面パネルの一端縁との突合せ箇所
Ｔ  第１方向
Ｗ  第２方向
【図１】
0005333535.tif 000002
【図２】
0005333535.tif 000003
【図３】
0005333535.tif 000004
【図４】
0005333535.tif 000005
【図５】
0005333535.tif 000006
【図６】
0005333535.tif 000007
【図７】
0005333535.tif 000008
【図８】
0005333535.tif 000009
【図９】
0005333535.tif 000010
【図１０】
0005333535.tif 000011
【図１１】
0005333535.tif 000012